(57)【要約】【課題】パチンコ球が進入するスタートチャッカー等のチャッカーの近傍に位置する複数の釘を調整不能に維持し得るチャッカー装置、このチャッカー装置を用いる遊技盤及びこの遊技盤を用いるパチンコ遊技機を提供する。【解決手段】固定板７０は、スタートチャッカー６０の頭壁６１ｂから上方へ一体的に延出するように形成されている。釘８０ａ〜８０ｅは、それぞれ、その頚部８３まで、首下部８２を、固定板７０の５つの貫通穴部７１ａ、７１ｂ、７２ａ〜７２ｃに圧入により挿通されており、これら釘８０ａ〜８０ｅは、それぞれ、首下部８２の先端部にて、遊技板３０の前面３１側から当該遊技板３０のうち貫通穴部３２の直上部位に、互いに略平行となるように打ち込まれている。【選択図】図２
2007190354.tif 000002
【特許請求の範囲】
【請求項１】
基板の所定部位に装着されたとき当該所定部位と共にパチンコ球を進入させる進入穴部を形成するチャッカーと、
前記基板の前記所定部位に対する前記チャッカーの対向部位から前記進入穴部の外方に向け延出されて複数の貫通穴部を分散して形成してなる固定板と、
前記基板に向けて前記固定板の前記複数の貫通穴部に挿通される複数の釘とを備えるチャッカー装置。
【請求項２】
前記チャッカーがその装着部位にて装着されるかまたは当該装着部位から前記固定板に並行に延出する底板であって、単独でまたは前記チャッカーの前記装着部位と共に、前記基板に前記所定部位として形成される凹部内に装着される底板を備えて、
前記複数の釘は、前記基板の前記凹部に向け前記固定板の前記複数の貫通穴部に挿通されて前記底板を通り延出することを特徴とする請求項１に記載のチヤッカー装置。
【請求項３】
両脚壁を頭壁の両端部から延出させてＵ字状に形成したＵ字体を有して、前記両脚壁にて基板の所定部位に装着されたとき当該所定部位と共に前記Ｕ字体でもってパチンコ球の進入穴部を形成するチャッカーと、
前記Ｕ字体の前記頭壁から前記進入穴部の軸方向に沿い延出されて複数の貫通穴部を分散して形成してなる固定板と、
前記基板の前記所定部位に向け前記固定板の前記複数の貫通穴部に挿通される複数の釘とを備えるチャッカー装置。
【請求項４】
前記基板に前記所定部位として形成される凹部に装着するための底板を備えて、
前記チャッカーは、前記固定板を前記底板に対向させるように、前記両脚壁にて前記底板の一側板部位に装着されており、
前記複数の釘は、前記基板の前記凹部に向け前記固定板の前記複数の貫通穴部に挿通されて前記底板の他側板部位を通り延出することを特徴とする請求項３に記載にチャッカー装置。
【請求項５】
前記基板に前記所定部位として形成される凹部に前記チャッカーの前記両脚壁と共に装着されるように当該両脚壁から前記固定板に並行に延出する底板を備えて、
前記複数の釘は、前記基板の前記凹部に向け前記固定板の前記複数の貫通穴部に挿通されて前記底板を通り延出することを特徴とする請求項３に記載にチャッカー装置。
【請求項６】
底板と、
頭壁の両端部から両脚壁を延出させてＵ字状に形成したＵ字体を備えるチャッカーであって前記両脚壁にて前記底板の一側板部位に装着されてこの一側板部位と共に前記Ｕ字体でもってパチンコ球の進入穴部を形成するチャッカーと、
前記Ｕ字体の前記頭壁から前記進入穴部の軸方向に沿い前記底板の他側板部位に対向するように延出されて複数の貫通穴部を分散して形成してなる固定板と、
この固定板の前記複数の貫通穴部に挿通されて前記底板の前記他側板部位に打ち込まれる複数の釘とを備えるチャッカー装置。
【請求項７】
前記固定板は、透明材料でもって形成されていることを特徴とする請求項１〜６のいずれか１つに記載のチャッカー装置。
【請求項８】
前記固定板は、前記チャッカーとは別体にて形成されていることを特徴とする請求項１〜７のいずれか１つに記載のチャッカー装置。
【請求項９】
前記底板は、前記チャッカーとは別体にて形成されていることを特徴とする請求項２、４、５及び６のいずれか１つに記載のチャッカー装置。
【請求項１０】
前記固定板は、透明材料で形成されていることを特徴とする請求項９に記載のチャッカー装置。
【請求項１１】
前記固定板は、前記チャッカーとは別体にて形成されていることを特徴とする請求項９または１０に記載のチャッカー装置。
【請求項１２】
前記チャッカーは、スタートチャッカーであり、
前記固定板の前記複数の貫通穴部は、当該固定板において正三角形、正方形、正五角形及び正六角形のいずれかの各頂部に互いに分散して位置するように形成されており、
前記複数の釘は、前記正三角形、正方形、正五角形及び正六角形のいずれかの各頂部に互いに分散して位置する前記複数の貫通穴部に挿通されるように、３本、４本、５本及び６本のいずれかの本数の釘で構成され、
前記３本、４本、５本及び６本のいずれかの本数の釘のうち、２本の釘が、それぞれ、命釘として、前記スタートチャッカーの進入穴部の近傍に位置することを特徴とする請求項１〜１１のいずれか１つに記載のチャッカー装置。
【請求項１３】
前記固定板の前記複数の貫通穴部は、複数の段付き貫通穴部であり、
前記複数の釘は、その各頭部にて、前記各対応の段付き貫通穴部の大径穴部に収容され、その各首下部にて、前記各対応の大径穴部を通り、前記各対応の段付き貫通穴部の小径穴部に挿通されることを特徴とする請求項１〜１２のいずれか１つに記載のチャッカー装置。
【請求項１４】
遊技板と、請求項１または３に記載のチャッカー装置とを備えて、
前記遊技板は、前記基板でもって構成されており、
前記チャッカー装置は、前記固定板を前記遊技板に沿い延出させるように、前記チャッカーにて、前記遊技板である前記基板の前記所定部位に装着されており、
前記複数の釘は、その各首下部にて、前記固定板に挿通されて前記遊技板に打ち込まれる遊技盤。
【請求項１５】
遊技板と、請求項２、４及び５のいずれか１つに記載のチャッカー装置とを備えて、
前記遊技板は、前記基板でもって構成されており、
前記チャッカー装置は、前記固定板を前記遊技板に沿い延出させるように、前記チャッカーにて、前記遊技板である前記基板の前記所定部位に装着されており、
前記複数の釘は、その各首下部にて、前記固定板の前記複数の貫通穴部に挿通されて前記底板を通り前記遊技板に打ち込まれる遊技盤。
【請求項１６】
遊技板と、請求項６に記載のチャッカー装置とを備えて、
前記チャッカー装置は、前記底板にて、前記遊技板に形成した凹部に装着される遊技盤。
【請求項１７】
前記底板は、前記チャッカーとは別体にて形成されていることを特徴とする請求項１５または１６に記載の遊技盤。
【請求項１８】
前記固定板は、透明材料で形成されていることを特徴とする請求項１４〜１７のいずれか１つに記載の遊技盤。
【請求項１９】
前記固定板は、前記チャッカーとは別体にて形成されていることを特徴とする請求項１４〜１８のいずれか１つに記載の遊技盤。
【請求項２０】
前記チャッカーは、スタートチャッカーであり、
前記固定板の前記複数の貫通穴部は、当該固定板において正三角形、正方形、正五角形及び正六角形のいずれかの各頂部に互いに分散して位置するように形成されており、
前記複数の釘は、前記正三角形、正方形、正五角形及び正六角形のいずれかの各頂部に互いに分散して位置する前記複数の貫通穴部に挿通されるように、３本、４本、５本及び６本のいずれかの本数の釘で構成され、
前記３本、４本、５本及び６本のいずれかの本数の釘のうち、２本の釘が、それぞれ、命釘として、前記スタートチャッカーの進入穴部の近傍に位置することを特徴とする請求項１４〜１９のいずれか１つに記載の遊技盤。
【請求項２１】
前記固定板の前記複数の貫通穴部は、複数の段付き貫通穴部であり、
前記複数の釘は、その各頭部にて、前記各対応の段付き貫通穴部の大径穴部に収容され、その各首下部にて、前記各対応の大径穴部を通り、前記各対応の段付き貫通穴部の小径穴部に挿通されることを特徴とする請求項１４〜２０のいずれか１つに記載の遊技盤。
【請求項２２】
請求項１４〜２１のいずれか１つに記載の遊技盤を備えているパチンコ遊技機。
【発明の詳細な説明】
【技術分野】
【０００１】
本発明は、チャッカー装置、遊技盤及びパチンコ遊技機に関する。
【背景技術】
【０００２】
従来、パチンコ遊技機のうち、例えば、セブン機（第１種のパチンコ遊技機）は、スタートチャッカーを備えており、このスタートチャッカーは、その開口部近傍に位置する命釘や誘導釘と共に、当該セブン機の遊技盤の盤面である遊技板の表面の中央部位（所謂、へその部位）に設けられている（下記特許文献１参照）。
【０００３】
このような構成において、発射されたパチンコ球は、当該セブン機の遊技盤の盤面に沿い移動して上述した複数の命釘や誘導釘を介しスタートチャッカーに入賞したとき、当該パチンコ球は、所定数のパチンコ球と共に賞球として払い出されるようになっている。
【特許文献１】特開２００５−３１９２２６号公報
【発明の開示】
【発明が解決しようとする課題】
【０００４】
ところで、上述のセブン機においては、パチンコ球のスタートチャッカーへの入賞を調整するにあたり、遊技盤の盤面に対する命釘や誘導釘の傾きや位置が調整される。
【０００５】
しかしながら、遊技者が遊技盤の盤面を見ても、パチンコ球のスタートチャッカーへの入賞が、命釘や誘導釘の傾きや位置の調整によってどのように変化するかは、遊技者にとって判断し難い。その結果、遊技者は、パチンコ球のスタートチャッカーへの入賞に関し、常に、不安をいだきながら、遊技を行わねばならないという不具合を招く。
【０００６】
そこで、本発明は、以上のようなことに対処するため、パチンコ球が進入するスタートチャッカー等のチャッカーの近傍に位置する複数の釘を調整不能に維持し得るチャッカー装置、このチャッカー装置を用いる遊技盤及びこの遊技盤を用いるパチンコ遊技機を提供することを目的とする。
【課題を解決するための手段】
【０００７】
上記課題の解決にあたり、本発明に係るチャッカー装置は、請求項１の記載によれば、
基板（３０）の所定部位に装着されたとき当該所定部位と共にパチンコ球を進入させる進入穴部（６１ｃ）を形成するチャッカー（６０）と、
基板の上記所定部位に対するチャッカーの対向部位（６１ｂ）から上記進入穴部の外方に向けて延出されて複数の貫通穴部（７１ａ、７１ｂ、７２ａ〜７２ｃ、７３ａ〜７３ｄ、７４ａ、７４ｂ、７５）を分散して形成してなる固定板（７０）と、
基板に向けて固定板の上記複数の貫通穴部に挿通される複数の釘（８０ａ〜８０ｉ）とを備える。
【０００８】
これにより、チャッカーを基板の所定部位に装着したとき固定板が当該チャッカーの上記対向部位から延出する。また、複数の釘が、基板に向けて固定板の複数の貫通穴部に挿通される。従って、当該複数の釘は、その固定板に対する固定のもと、調整不能に維持され得る。その結果、当該チャッカー装置をパチンコ遊技機の遊技盤に装着すれば、遊技者は、当該パチンコ遊技機でもって遊技することで、常に、一定の入賞率を確保し得るという公平感をいだきながら、安心して遊技に専念できる。
【０００９】
また、本発明は、請求項２の記載によれば、請求項１に記載のチャッカー装置において、
チャッカーがその装着部位にて装着されるかまたは当該装着部位から固定板に並行に延出する底板であって、単独でまたはチャッカーの上記装着部位と共に、基板に上記所定部位として形成される凹部（３３）内に装着される底板（１００）を備えて、
複数の釘は、基板の上記凹部に向け固定板の上記複数の貫通穴部に挿通されて底板を通り延出することを特徴とする。
【００１０】
これにより、底板を基板の凹部内に装着し、複数の釘を、固定板の複数の貫通穴部に挿通して底板を通し延出させて、基板にその凹部を介し打ち込めば、当該チャッカー装置は基板に装着される。
【００１１】
従って、複数の釘を固定板及び底板に固定することで、当該複数の釘は、より一層調整不能に維持され得る。その結果、請求項１に記載の作用効果がより一層向上され得る。
【００１２】
本発明に係るチャッカー装置は、請求項３の記載によれば、
両脚壁（６１ａ）を頭壁（６１ｂ）の両端部から延出させてＵ字状に形成したＵ字体（６１）を有して、上記両脚壁にて基板（３０）の所定部位に装着されたとき当該所定部位と共に上記Ｕ字体でもってパチンコ球の進入穴部（６１ｃ）を形成するチャッカー（６０）と、
上記Ｕ字体の上記頭壁から上記進入穴部の軸方向に沿い延出されて複数の貫通穴部（７１ａ、７１ｂ、７２ａ〜７２ｃ、７３ａ〜７３ｄ、７４ａ、７４ｂ、７５）を分散して形成してなる固定板（７０）と、
基板の上記所定部位に向け固定板の上記複数の貫通穴部に挿通される複数の釘（８０ａ〜８０ｉ）とを備える。
【００１３】
これによれば、チャッカーを基板の所定部位に装着すると、固定板がチャッカーの頭部から進入穴部の軸方向に沿い延出し、このように延出する当該固定板の複数の貫通穴部に、複数の釘が基板の所定部位に向け挿通される。
【００１４】
従って、当該複数の釘は、その固定板に対する固定のもと、調整不能に維持され得る。その結果、当該チャッカー装置をパチンコ遊技機の遊技盤に装着すれば、遊技者は、当該パチンコ遊技機でもって遊技することで、常に、一定の入賞率を確保し得るという公平感をいだきながら、安心して遊技に専念できる。
【００１５】
また、本発明は、請求項４の記載によれば、請求項３に記載にチャッカー装置において、
基板に上記所定部位として形成される凹部（３３）に装着するための底板（１００）を備えて、
チャッカーは、固定板を底板に対向させるように、上記両脚壁にて底板の一側板部位（１０１）に装着されており、
複数の釘は、基板の上記凹部に向け固定板の上記複数の貫通穴部に挿通されて底板の他側板部位（１０２）を通り延出することを特徴とする。
【００１６】
これにより、底板を基板の凹部に装着し、複数の釘を、基板にその凹部を通して打ち込んで固定板及び底板の他端部側部位に固定すれば、当該チャッカー装置は基板に装着される。従って、複数の釘が、固定板及び底板による固定のもと、より一層調整不能に維持され得る。その結果、請求項３に記載の作用効果がより一層向上され得る。
【００１７】
また、本発明は、請求項５の記載によれば、請求項３に記載にチャッカー装置において、
基板に上記所定部位として形成される凹部（３３）にチャッカーの上記両脚壁と共に装着されるように当該両脚壁から固定板に並行に延出する底板を備えて、
複数の釘は、基板の上記凹部に向け、固定板の上記複数の貫通穴部に挿通されて底板を通り延出することを特徴とする。
【００１８】
これにより、底板をチャッカーの両脚壁と共に基板の凹部に装着し、複数の釘を、基板にその凹部を通して打ち込み、固定板及び底板に固定すれば、当該チャッカー装置は基板に装着される。従って、複数の釘が、固定板及び底板による固定のもと、より一層調整不能に維持され得る。その結果、請求項３に記載の作用効果がより一層向上され得る。
【００１９】
また、本発明に係るチャッカー装置は、請求項６の記載によれば、
底板（１１０）と、
頭壁（６１ｂ）の両端部から両脚壁（６１ａ）を延出させてＵ字状に形成したＵ字体（６１）を備えるチャッカーであって上記両脚壁にて底板の一側板部位（１１１）に装着されてこの一側板部位と共にＵ字体でもってパチンコ球の進入穴部（６１ｃ）を形成するチャッカー（６０）と、
Ｕ字体の上記頭壁から上記進入穴部の軸方向に沿い底板の他側板部位（１１２）に対向するように延出されて複数の貫通穴部（７１ａ、７１ｂ、７２ａ〜７２ｃ、７３ａ〜７３ｄ、７４ａ、７４ｂ、７５）を分散して形成してなる固定板（７０）と、
この固定板の上記複数の貫通穴部に挿通されて底板の上記他側板部位に打ち込まれる複数の釘（８０ａ〜８０ｉ）とを備える。
【００２０】
このように構成することにより、底板を遊技板の凹部に装着し、複数の釘を、例えば、各頭部及び各頚部の少なくとも一方にて、固定板に固定するだけで、当該チャッカー装置を簡単に遊技板に装着し得る。
【００２１】
ここで、複数の釘は、固定板に対する固定及び底板の他端部側部位に対する打ち込みでもって、調整不能に維持され得る。その結果、遊技者は、常に一定の入賞率を確保し得るという公平感をいだきながら、安心して遊技に専念できる。
【００２２】
また、当該チャッカー装置を、複数の釘を除き、上記構成にて、予め一体成形しておけば、複数の釘を除き、当該チャッカー装置を上記構成に組み立てる手数が省ける。
【００２３】
また、本発明は、請求項７の記載によれば、請求項１〜６のいずれか１つに記載のチャッカー装置において、固定板は、透明材料でもって形成されていることを特徴とする。
【００２４】
このように、固定板が透明材料でもって形成されている。従って、当該チャッカー装置をパチンコ遊技機の遊技板に装着すれば、遊技者は、当該パチンコ遊技機でもって遊技するにあたり、または遊技の最中において、調整不能に維持されている複数の釘を、固定板を通し、いわゆるシースルーにて、常に視認し得る。従って、請求項１〜６のいずれか１つに記載の発明の作用効果がより一層向上され得る。
【００２５】
また、本発明は、請求項８の記載によれば、請求項１〜７のいずれか１つに記載のチャッカー装置において、固定板は、チャッカーとは別体にて形成されていることを特徴とする。
【００２６】
これにより、請求項１〜７のいずれか１つに記載の発明の作用効果を達成するにあたり、複数の釘の固定板に対する挿通や基板或いは底板に対する打ち込みの作業を、チャッカーの装着作業とは独立的であって、当該チャッカーの装着作業に影響されることなく、自由に行い得る。また、固定板がチャッカーとは別体であることから、固定板の形成材料が自由に選定され得る。
【００２７】
また、本発明は、請求項９の記載によれば、請求項２、４、５及び６のいずれか１つに記載のチャッカー装置において、底板は、チャッカーとは別体にて形成されていることを特徴とする。
【００２８】
これによっても、請求項２、４、５及び６のいずれか１つに記載の発明と実質的に同様の作用効果が達成され得る。なお、チャッカーを、基板の凹部ではなく、基板の表面上に装着するようにしてもよい。
【００２９】
また、本発明は、請求項１０の記載によれば、請求項９に記載のチャッカー装置において、固定板は、透明材料で形成されていることを特徴とする。
【００３０】
これにより、請求項７に記載の発明と同様の作用効果を達成しつつ請求項９に記載の発明の作用効果を達成し得る。
【００３１】
また、本発明は、請求項１１の記載によれば、請求項９または１０に記載のチャッカー装置において、固定板は、チャッカーとは別体にて形成されていることを特徴とする。
【００３２】
これにより、請求項８に記載の発明と同様の作用効果を達成しつつ請求項９または１０に記載の発明の作用効果を達成し得る。
【００３３】
また、本発明は、請求項１２の記載によれば、請求項１〜１１のいずれか１つに記載のチャッカー装置において、
チャッカーは、スタートチャッカーであり、
固定板の上記複数の貫通穴部は、当該固定板において正三角形、正方形、正五角形及び正六角形のいずれかの各頂部に互いに分散して位置するように形成されており、
複数の釘は、上記正三角形、正方形、正五角形及び正六角形のいずれかの各頂部に互いに分散して位置する上記複数の貫通穴部に挿通されるように、３本、４本、５本及び６本のいずれかの本数の釘で構成され、
上記３本、４本、５本及び６本のいずれかの本数の釘のうち、２本の釘が、それぞれ、命釘として、スタートチャッカーの進入穴部の近傍に位置することを特徴とする。
【００３４】
これによれば、チャッカーはスタートチャッカーであることから、チャッカー装置を、パチンコ遊技機に装着する場合、当該チャッカー装置は遊技盤の盤面の中央部（いわゆるヘソの部分）に装着されるのが通常である。また、固定板は、スタートチャッカーの頭壁（上述のチャッカーの頭壁に相当）から進入穴部の軸方向に沿い延出するとともに、固定板に挿通される複数の釘のうちの２本が、それぞれ、命釘としてスタートチャッカーの進入穴部の近傍に位置する。
【００３５】
従って、３本、４本、５本及び６本のいずれかの本数の釘は、スタートチャッカーの進入穴部の近傍に命釘として位置する２本の釘を基準にして、正三角形、正方形、正五角形及び正六角形のいずれかを構成しつつ、スタートチャッカーの進入穴部の周囲に位置することとなる。しかも、上述のように正三角形、正方形、正五角形及び正六角形のいずれかを構成するのであるから、各両隣接釘の間隔は、共に、同一である。
【００３６】
このため、例えば、遊技盤の中央に集まるパチンコ球は、３本、４本、５本及び６本のいずれかの本数の釘のうち、両命釘以外の釘でもって、円滑に誘導されて、両命釘の間からスタートチャッカーの進入穴部に、より一層、進入し易くなる。その結果、請求項１〜１１のいずれか１つに記載の発明の作用効果をより一層向上し得るチャッカー装置の提供が可能となる。なお、進入穴部に進入したパチンコ球を遊技盤の中央部に形成した穴に案内するように、Ｕ字体に案内壁を設けるとよい。
【００３７】
また、本発明は、請求項１３の記載によれば、請求項１〜１２のいずれか１つに記載のチャッカー装置において、
固定板の上記複数の貫通穴部は、複数の段付き貫通穴部（Ｈ）であり、
複数の釘は、その各頭部にて、上記各対応の段付き貫通穴部の大径穴部（Ｈａ）に収容され、その各首下部にて、上記各対応の大径穴部を通り、上記各対応の段付き貫通穴部の小径穴部（Ｈｂ）に挿通されることを特徴とする。
【００３８】
これにより、請求項１〜１２のいずれか１つに記載の発明の作用効果の達成にあたり、複数の釘が、固定板によりその複数の段付き貫通穴部でもって、より一層調整不能に維持され得る。
【００３９】
また、本発明に係る遊技盤は、請求項１４の記載によれば、
遊技板（３０）と、請求項１または３に記載のチャッカー装置（Ｕ、Ｕａ、Ｕｂ、Ｕｃ、Ｕｄ、Ｕｅ）とを備えて、
遊技板は、上記基板でもって構成されており、
チャッカー装置は、固定板を遊技板に沿い延出させるように、チャッカーにて、遊技板である基板の上記所定部位に装着されており、
複数の釘は、その各首下部にて、固定板に挿通されて遊技板に打ち込まれる。
【００４０】
これによれば、請求項１または３に記載の発明により達成される作用効果を確保し得る遊技盤の提供が可能となる。
【００４１】
また、本発明に係る遊技盤は、請求項１５の記載によれば、
遊技板（３０）と、請求項２、４及び５のいずれか１つに記載のチャッカー装置（Ｕ、Ｕａ、Ｕｂ、Ｕｃ、Ｕｄ、Ｕｅ）とを備えて、
遊技板は、上記基板でもって構成されており、
チャッカー装置は、固定板を遊技板に沿い延出させるように、チャッカーにて、遊技板である基板の上記所定部位に装着されており、
複数の釘は、その各首下部にて、固定板の上記複数の貫通穴部に挿通されて底板を通り遊技板に打ち込まれる。
【００４２】
これによれば、請求項２、４及び５のいずれか１つに記載の発明により達成される作用効果を確保し得る遊技盤の提供が可能となる。
【００４３】
また、本発明に係る遊技盤は、請求項１６の記載によれば、
遊技板（３０）と、請求項６に記載のチャッカー装置（Ｕ、Ｕａ、Ｕｂ、Ｕｃ、Ｕｄ、Ｕｅ）とを備えて、
チャッカー装置は、底板にて、遊技板に形成した凹部（３３）に装着される。
【００４４】
これによれば、請求項６に記載の発明により達成される作用効果を確保し得る遊技盤の提供が可能となる。
【００４５】
また、本発明は、請求項１７の記載によれば、請求項１５または１６に記載の遊技盤において、底板は、チャッカーとは別体にて形成されていることを特徴とする。
【００４６】
これにより、請求項９に記載の発明と同様の作用効果を達成しつつ請求項１５または１６に記載の発明の作用効果を達成し得る。なお、チャッカーを、基板の凹部ではなく、基板の表面上に装着するようにしてもよい。
【００４７】
また、本発明は、請求項１８の記載によれば、請求項１４〜１７のいずれか１つに記載の遊技盤において、固定板は、透明材料で形成されていることを特徴とする。
【００４８】
これにより、請求項７に記載の発明と同様の作用効果を達成しつつ請求項１４〜１７のいずれか１つに記載の発明の作用効果を達成し得る。
【００４９】
また、本発明は、請求項１９の記載によれば、請求項１４〜１８のいずれか１つに記載の遊技盤において、固定板は、チャッカーとは別体にて形成されていることを特徴とする。
【００５０】
これによれば、請求項８に記載の発明と同様の作用効果を達成しつつ請求項１４〜１８のいずれか１つに記載の発明の作用効果を達成し得る。
【００５１】
また、本発明は、請求項２０の記載によれば、請求項１４〜１９のいずれか１つに記載の遊技盤において、
チャッカーは、スタートチャッカーであり、
固定板の上記複数の貫通穴部は、当該固定板において正三角形、正方形、正五角形及び正六角形のいずれかの各頂部に互いに分散して位置するように形成されており、
複数の釘は、上記正三角形、正方形、正五角形及び正六角形のいずれかの各頂部に互いに分散して位置する上記複数の貫通穴部に挿通されるように、３本、４本、５本及び６本のいずれかの本数の釘で構成され、
上記３本、４本、５本及び６本のいずれかの本数の釘のうち、２本の釘が、それぞれ、命釘として、スタートチャッカーの進入穴部の近傍に位置することを特徴とする。
【００５２】
これによれば、請求項１２に記載の発明と同様の作用効果を達成しつつ、請求項１４〜１９のいずれか１つに記載の発明の作用効果を達成し得る。
【００５３】
また、本発明は、請求項２１の記載によれば、請求項１４〜２０のいずれか１つに記載の遊技盤において、
固定板は、互いに分散して形成した複数の段付き貫通穴部（Ｈ）を有しており、
複数の釘は、その各頭部にて、上記各対応の段付き貫通穴部の大径穴部（Ｈａ）に収容され、その各首下部にて、上記各対応の大径穴部を通り、上記各対応の段付き貫通穴部の小径穴部（Ｈｂ）に挿通されることを特徴とする。
【００５４】
これにより、請求項１３に記載の発明と同様の作用効果を達成しつつ請求項１４〜２０のいずれか１つに記載の発明の作用効果を達成し得る。
【００５５】
また、本発明に係るパチンコ遊技機は、請求項２２の記載によれば、請求項１４〜２１のいずれか１つに記載の遊技盤を備えている。
【００５６】
これによれば、請求項１４〜２１のいずれか１つに記載の遊技盤により達成される作用効果を確保し得るパチンコ遊技機の提供が可能となる。
【００５７】
なお、上記各手段の括弧内の符号は、後述する実施形状に記載の具体的手段との対応関係を示すものである。
【発明を実施するための最良の形態】
【００５８】
以下、パチンコ遊技機の各実施形態を図面により説明する。
（第１実施形態）
図１は、本発明が適用されるパチンコ遊技機の第１実施形態を示している。このパチンコ遊技機は、第１種のパチンコ遊技機からなるもので、当該パチンコ遊技機は、図１にて示すごとく、枠体Ｗと、この枠体Ｗに着脱可能に組み付けてなる遊技盤Ｐとでもって、構成されている。
【００５９】
枠体Ｗは、外枠１０及び前枠２０を備えている。前枠２０は外枠１０にその前面側から開閉可能に枢着されており、この前枠２０には、ガラス板からなる透明窓２０ａが嵌め込まれている。なお、図１において、各符号２１、２２及び２３は、それぞれ、上皿、下皿及びハンドルを示しており、これら上皿２１、下皿２２及びハンドル２３は、図１にて示す位置にて、前枠２０に配設されている。
【００６０】
遊技盤Ｐは、外枠１０内に着脱可能に組み付けられている。この遊技盤Ｐは、図１及び図２にて示すごとく、遊技板３０を有しており、この遊技板３０は、その前面３１（遊技盤Ｐの盤面に相当）にて、透明窓２０ａに対向している。
【００６１】
当該遊技盤Ｐは、図１にて示すごとく、特別図柄表示装置４０及びセンターフレーム５０を備えており、特別図柄表示装置４０は、遊技板３０の中央部に嵌着されて、識別図柄や各種キャラクタ等を表示する。
【００６２】
センターフレーム５０は、特別図柄表示装置４０を囲うように、遊技板３０の前面３１の中央部に設けられており、このセンターフレーム５０は、そのステージ部材５１の凹凸状の上面５１ａに沿い、ワープ流路（図示しない）から案内されるパチンコ球を転動させて導出口５２から遊技板３０の前面３１側へ導出するように構成されている。
【００６３】
また、当該遊技盤Ｐは、上入賞部であるスタートチャッカー装置Ｕを備えており、このスタートチャッカー装置Ｕは、図２及び図３にて示すごとく、入賞口部材である透明樹脂製スタートチャッカー６０、透明樹脂製の四角状板部材からなる固定板７０及び５本の真鍮製釘８０ａ〜８０ｅでもって構成されている。
【００６４】
スタートチャッカー６０は、図１にて示すごとく、センターフレーム５０の導出口５２の直下にて、遊技板３０の前面３１の中央部（いわゆる遊技盤Ｐの盤面のへその部分）に配設されている。このスタートチャッカー６０は、図２及び図３から分かるように、Ｕ字体６１を備えており、このＵ字体６１は、左右両脚壁６１ａ及び頭壁６１ｂでもってＵ字状をなすように、左右両脚壁６１ａを頭壁６１ｂの左右両端部から遊技板３０の前面３１側へ延出して形成されている。これにより、スタートチャッカー６０は、遊技板３０の前面３１の中央部と共に、Ｕ字体６１でもって、パチンコ球の進入穴部６１ｃを形成する。
【００６５】
ここで、スタートチャッカー６０は、Ｕ字体６１の頭壁６１ｂにて、左右両脚壁６１ａの間から、遊技板３０の中央部位に形成した貫通穴部３２（図２参照）に対向するように位置し、かつ、進入穴部６１ｃの上端開口部にて、センターフレーム５０の導出口５２の直下に位置する。このことは、スタートチャッカー６０が、進入穴部６１ｃの上端開口部でもって、センターフレーム５０の導出口５２から遊技板３０の前面３１に沿い落下するパチンコ球の入賞口部としての役割を果たすことを意味する。
【００６６】
また、スタートチャッカー６０は、案内壁６２を備えており、この案内壁６２は、進入穴部６１ｃの下端開口部を閉じるように当該下端開口部に形成されている。これにより、スタートチャッカー６０は、進入穴部６１ｃ内にその上端開口部から進入したパチンコ球を案内壁６２でもって、遊技板３０の貫通穴部３２内に案内する。
【００６７】
また、当該スタートチャッカー６０は、フランジ６３を備えており、このフランジ６３は、Ｕ字体６１の左右両脚壁６１ａの各延出端部及び案内壁６２の遊技板３０の前面３１側端部から外方へＬ字状に延出している。これにより、スタートチャッカー６０は、フランジ６３にて、遊技板３０の前面３１の中央部に貫通穴部３２の外周部にて複数のネジ（図示しない）の締着でもって着脱可能に取り付けられている。
【００６８】
透明樹脂製の固定板７０は、スタートチャッカー６０の頭壁６１ｂから上方へ一体的に延出してなるもので、この固定板７０には、５つの貫通穴部７１ａ、７１ｂ、７２ａ〜７２ｃが、正五角形の各頂部に位置するように形成されている（図３参照）。
【００６９】
但し、５つの貫通穴部７１ａ、７１ｂ、７２ａ〜７２ｃの内径は、共に同一であって、釘８０ａ〜８０ｅの首下部（後述する）の外径よりも幾分小さい。これは、釘８０ａ〜８０ｅの各首下部を各貫通穴部７１ａ、７１ｂ、７２ａ〜７２ｃに圧入するためである。
【００７０】
また、両貫通穴部７１ａ、７１ｂは、スタートチャッカー６０の左右両脚壁６１ａの各々の直上にて、当該左右両脚壁６１ａの各々に接近して位置しており、当該両貫通穴部７１ａ、７１ｂの中心を結ぶ線は、スタートチャッカー６０の進入穴部６１ｃの上端開口部の開口面に平行となっている。
【００７１】
また、パチンコ球の外径が１０（ｍｍ）であることから、５つの貫通穴部７１ａ、７１ｂ、７２ａ〜７２ｃのうち各両隣接貫通穴部の中心間隔は、釘８０ａ〜８０ｅの首下部の外径（後述する）を考慮して、１２．５８（ｍｍ）に設定されている。なお、固定板７０は、頭壁６１ｂと共に、透明窓２０ａに並行に位置している。また、本実施形態では、スタートチャッカー６０は、固定板７０と共に、透明樹脂を用いた射出成形により一体的に形成されている。
【００７２】
５本の真鍮製釘８０ａ〜８０ｅは、それぞれ、同一の外形形状でもって、頭部８１から首下部８２を延出させて構成されている。なお、各釘８０ａ〜８０ｅの外径寸法は、例えば、ほぼ次の通りである。即ち、各釘８０ａ〜８０ｅの全長、頭部８１の外径、首下部８２の外径は、それぞれ、３３（ｍｍ）、４．２（ｍｍ）及び１．５８（ｍｍ）である。
【００７３】
また、当該各釘８０ａ〜８０ｅは、それぞれ、その頚部８３まで、首下部８２を、固定板７０の５つの貫通穴部７１ａ、７１ｂ、７２ａ〜７２ｃに圧入により挿通されており、これら釘８０ａ〜８０ｅは、首下部８２の先端部にて、遊技板３０の前面３１側から当該遊技板３０のうち貫通穴部３２の直上部位に、互いに略平行となるように打ち込まれている。なお、各釘８０ａ〜８０ｅの頭部８１と遊技板３０の前面３１との間の長さは、例えば、ほぼ１６（ｍｍ）となっている。
【００７４】
本実施形態において、５本の釘８０ａ〜８０ｅのうち、両釘８０ａ、８０ｂは、スタートチャッカー６０の進入穴部６１ｃの上端開口部の左右両側直上に位置しており、これら両釘８０ａ、８０ｂは、それぞれ、命釘としての役割を果たす。また、残りの３本の釘８０ｃ〜８０ｅは、導出口５２から落下するパチンコ球を、命釘である釘８０ａ、８０ｂ側へ誘導するための誘導釘としての役割を果たす。
【００７５】
遊技盤Ｐは、図２にて示すごとく、上入賞部用赤外線センサＳを有しており、この赤外線センサＳは、遊技板３０の裏面のうち貫通穴部３２の直上部位に設けられて、スタートチャッカー６０の進入穴部６１ｃから遊技板３０の貫通穴部３２を通り裏面側へ移動するパチンコ球を入賞球として検出する。
【００７６】
遊技盤Ｐは、遊技板３０の裏面下部に設けた払い出し制御機構（図示しない）を有しており、この払い出し制御機構は、赤外線センサＳの検出出力に基づき、遊技板３０の裏面上部に設けた球タンク（図示しない）から所定数（例えば、１２個）のパチンコ球を、案内路（図示しない）を介し導出して、上記入賞球と共に、払い出し流路２４（図１参照）を通して上皿２１内に払い出す。
【００７７】
なお、図１において、各符号９０ａ及び９０ｂは、それぞれ、下入賞部及び大入賞部を示す。また、図１において、符号２５で示す二点鎖線領域は、多数の釘や風車等の各種部材を、遊技板３０の前面３１（遊技盤Ｐの盤面）に配設した領域である。
【００７８】
以上のように構成した本第１実施形態において、ハンドル２３の操作により発射されたパチンコ球が、例えば、遊技盤Ｐの盤面の二点鎖線領域２５及びセンターフレーム５０の上記ワープ流路を通りステージ部材５１の凹凸状の上面５１ａに沿い転動して導出口５２から導出されると、このように導出されたパチンコ球は、遊技盤Ｐの盤面に沿い下方に向けて落下していく。
【００７９】
このように落下していくパチンコ球がスタートチャッカー装置Ｕに向けて移動すると、当該パチンコ球は、スタートチャッカー装置Ｕの各釘８０ｃ〜８０ｅにより誘導されるか、または各釘８０ａ〜８０ｅの周囲に位置する釘を介して案内されて、図３にて一点鎖線により示す各矢印Ｒ１〜Ｒ４の方向に移動し、両釘８０ａ、８０ｂの間を通りスタートチャッカー６０の進入穴部６１ｃ内にその上端開口部から進入する（図２にて一点鎖線により示す矢印Ｒ５参照）。
【００８０】
このように進入したパチンコ球は、スタートチャッカー６０によりその案内壁６２でもって案内されて、遊技板３０の裏面側へ貫通穴部３２を通り排出される。このとき、パチンコ球は、赤外線センサＳにより入賞球として検出されると、このパチンコ球は、上記球タンク内から案内される所定数の球と共に、払い出し流路２４を通り上皿２１内に払い出される。
【００８１】
ここで、上述のごとく、スタートチャッカー装置Ｕにおいては、遊技板３０と固定板７０との間の間隔は、パチンコ球の外径よりも十分に大きく、かつ、５本の釘８０ａ〜８０ｅのうち各両隣接釘の間の間隔が、パチンコ球の外径よりも幾分大きい。このため、パチンコ球は、上記各両隣接釘のいずれかの間から容易にスタートチャッカー６０の進入穴部６１ｃ内に進入し得る。
【００８２】
しかも、５本の釘８０ａ〜８０ｅは、その各先端部にて、遊技板３０に打ち込まれた状態で、その各頚部８３にて、固定板７０への圧入により当該固定板７０でもって固定されている。従って、５本の釘８０ａ〜８０ｅ、例えば、命釘の傾きや位置が任意に調整されることは不可能である。このことは、スタートチャッカー装置Ｕが遊技板３０に装着された後は、５本の釘８０ａ〜８０ｅが、調整不能に維持されることを意味する。
【００８３】
なお、接着剤を、各釘８０ａ〜８０ｅの頚部８３と各対応の貫通穴部７１ａ、７１ｂ、７２ａ〜７２ｃとの間に浸入させるように、各釘８０ａ〜８０ｅの頭部８１と各対応の貫通穴部７１ａ、７１ｂ、７２ａ〜７２ｃとの間に供給乾燥すれば、各釘８０ａ〜８０ｅが、頭部８１及び頚部８３でもって、固定板７０により一層強固に接着固定され得る。
【００８４】
さらに、固定板７０が透明であることから、遊技者は、窓２０ａ及び固定板７０を通して、調整不能に維持される５本の釘８０ａ〜８０ｅの状態を、スタートチャッカー６０の内部の状態とともに、いわゆるシースルーにて、常に視認し得る。
【００８５】
その結果、遊技者は、常に一定の入賞率を確保し得るという公平感をいだきながら、安心して遊技に専念できる。
【００８６】
ここで、５本の釘８０ａ〜８０ｅは、スタートチャッカー６０の進入穴部６１ｃの上端開口部の近傍に命釘として位置する２本の釘を基準にして、正五角形を構成しつつ、スタートチャッカー６０の進入穴部６１ｃの上端開口部の周囲に位置することとなる。しかも、上述のように正五角形を構成するのであるから、各両隣接釘の間隔は、共に、同一である。
【００８７】
このため、例えば、遊技盤Ｐの中央に集まるパチンコ球は、５本の釘のうち、両命釘以外の釘でもって、円滑に誘導されて、両命釘の間からスタートチャッカーの進入穴部６１ｃ内により一層進入し易くなる。
【００８８】
また、スタートチャッカー装置Ｕにおいては、スタートチャッカー６０が固定板７０と一体成形されている。従って、当該スタートチャッカー装置Ｕの部品点数が減少するのは勿論のこと、当該スタートチャッカー装置Ｕを遊技板３０に装着するにあたっては、５本の釘８０ａ〜８０ｅを、上述のように固定板７０に挿通した後、遊技板３０にその前面３１から打ち込むとともに、スタートチャッカー６０のフランジ６３を複数のネジの締着でもって、遊技板３０の前面３１の中央部に装着することで済む。よって、当該スタートチャッカー装置Ｕによれば、スタートチャッカー６０及び５本の釘８０ａ〜８０ｅの遊技板３０に対する装着作業が容易である。
【００８９】
また、上述のようにスタートチャッカー６０が固定板７０と一体となっているので、スタートチャッカー６０を遊技板３０に装着すれば、固定板７０がスタートチャッカー６０を介し遊技板３０に支持された状態に維持される。従って、このような状態で、５本の釘８０ａ〜８０ｅを上述のように固定板７０に挿通するようにすれば、固定板７０を別途把持する必要もなく、各釘８０ａ〜８０ｅの固定板７０に対する挿通作業が容易に行える。
【００９０】
また、各釘８０ａ〜８０ｅの頭部８１を、例えば、工具でたたくことで、各釘８０ａ〜８０ｅの調整をしようとしても、これに伴い生ずる各釘８０ａ〜８０ｅの露出長さのばらつきや固定板７０の湾曲等の歪みが簡単に視認され得る。従って、各釘８０ａ〜８０ｅの頭部８１を工具でたたくことによる各釘８０ａ〜８０ｅの調整は、結果として不能である。
【００９１】
なお、上記第１実施形態においては、スタートチャッカー６０及び固定板７０を一体化した例について説明したが、これに代えて、固定板７０をスタートチャッカー６０とは別体にて形成するようにしてもよい。これによれば、上述した各釘８０ａ〜８０ｅの固定板７０を介する遊技板３０への打ち込み作業が、スタートチャッカー６０の遊技板３０への装着作業とは独立的になされ得る。このことは、両作業の一方が他方の作業による影響を受けることなく自由になされ得ることを意味する。
【００９２】
また、上述のごとく、固定板７０をスタートチャッカー６０とは別体にて形成することで、固定板７０の構成材料として、スタートチャッカー６０とは異なる材料を選定することができ、固定板７０の構成材料の選定自由度が増す。ここで、例えば、ベニア板等の不透明な材料を固定板７０の構成材料として選定すれば、各釘８０ａ〜８０ｅの状態を視認不能にすることができる。
（第２実施形態）
図４及び図５は、本発明の第２実施形態の要部を示している。この第２実施形態では、スタートチャッカー装置（以下、スタートチャッカー装置Ｕａともいう）が、上記第１実施形態にて述べたスタートチャッカー装置Ｕに代えて採用されている。
【００９３】
スタートチャッカー装置Ｕａは、上記第１実施形態にて述べたスタートチャッカー装置Ｕにおいて、底板１００を付加的に採用した構成となっている。
【００９４】
底板１００は、図５にて示すごとく、両板部１０１、１０２でもって一体的に形成されており、この底板１００は、遊技板３０の凹部３３内に移動不能に接着剤でもって嵌着されている。なお、凹部３３は、センターフレーム５０の導出口５２の直下にて、遊技板３０の中央部に前面３１側から形成されている。
【００９５】
本第２実施形態では、スタートチャッカー６０は、フランジ６３を廃止した構成となっており、当該スタートチャッカー６０は、そのＵ字体６１及び案内壁６２にて、直接、底板１００の板部１０１にその前面から設けられている。
【００９６】
なお、板部１０１には、遊技板３０の貫通穴部３２に対向する貫通穴部１０１ａが形成されている。これにより、スタートチャッカー６０の進入穴部６１ｃ内に進入したパチンコ球は、案内壁６２により底板１００の貫通穴部１０１ａを通り遊技板３０の貫通穴部３２内に案内される。
【００９７】
また、本第２実施形態では、底板１００は、Ｕ字体６１、案内壁６２及び固定板７０とともに、透明な樹脂材料を用いた射出成形により、一体的に形成されている。
【００９８】
また、上記第１実施形態にて述べた各釘８０ａ〜８０ｅは、その各先端部にて、底板１００に形成した各貫通穴部１００ａ〜１００ｅに圧入により挿通されて、凹部３３の底壁部に打ち込まれている。なお、各貫通穴部１００ａ〜１００ｅは、固定板７０の各貫通穴部７１ａ、７１ｂ、７２ａ〜７２ｃに対応するように、底板１００の板部１０２に形成されており、これら各貫通穴部１００ａ〜１００ｅの内径は、各釘８０ａ〜８０ｅの先端部の外径よりも幾分小さい。その他の構成は、上記第１実施形態と同様である。
【００９９】
以上のように構成した本第２実施形態においては、底板１００が、上述のように、スタートチャッカー６０のＵ字体６１、案内壁６２及び固定板７０と一体となって、遊技板３０の凹部３３内に移動不能に嵌着されている。従って、各釘８０ａ〜８０ｅの頭部及び首下部は、上記第１実施形態にて述べたように固定板７０に固定されるとともに、各釘８０ａ〜８０ｅの先端部が、凹部３３の底壁部及び底板１００の板部１０２の双方でもって固定される。このため、各釘８０ａ〜８０ｅは、より一層、傾斜等変形しにくく、調整不能に維持され得る。
【０１００】
その結果、遊技者は、常に一定の入賞率を確保し得るという公平感を、上記第１実施形態に比べて、より一層強くいだきながら、安心して遊技に専念できる。その他の作用効果は上記第１実施形態と同様である。
（第３実施形態）
図６は、本発明の第３実施形態を示している。この第３実施形態では、上記第２実施形態にて述べたスタートチャッカー装置Ｕａにおいて、固定板７０が、スタートチャッカー６０とは別体にて形成されている。その他の構成は、上記第２実施形態と同様である。
【０１０１】
このように構成した本第３実施形態においては、底板１００が、上記第２実施形態にて述べたように、スタートチャッカー６０と一体となって、遊技板３０の凹部３３内に移動不能に嵌着されている。
【０１０２】
従って、各釘８０ａ〜８０ｅの先端部は、凹部３３の底壁部及び底板１００の双方でもって固定される。このため、固定板７０がスタートチャッカー６０から分離していても、各釘８０ａ〜８０ｅは、傾斜等変形しにくく、調整不能に維持され得る。その結果、遊技者は、上記第２実施形態と実質的に同様に、常に一定の入賞率を確保し得るという公平感をいだきながら、安心して遊技に専念できる。
【０１０３】
また、スタートチャッカー６０と別体である固定板７０は、各釘８０ａ〜８０ｅとともに、釘ユニットを構成する。従って、底板１００をスタートチャッカー６０の一部材とすれば、スタートチャッカー６０を遊技板３０に装着した後に、当該釘ユニットを、底板１００を介し遊技板３０に装着するという２段階作業でもって、本第３実施形態にいうスタートチャッカー装置の装着が可能となる。
【０１０４】
また、固定板７０が、スタートチャッカー６０とは別体であることから、当該固定板７０の構成材料の選定が自由となる。従って、当該固定板７０を不透明な材料でもって形成すれば、各釘８０ａ〜８０ｅが視認不能な状態に維持され得る。
【０１０５】
また、上述のように、固定板７０が、スタートチャッカー６０とは別体にて形成されている。従って、各釘８０ａ〜８０ｅの頭部８１を工具でたたくことで調整すると、固定板７０が、スタートチャッカー６０の頭壁６１ｂよりも遊技板３０側へ変位する等の異常が発生する。このような異常は簡単に視認され得るので、各釘８０ａ〜８０ｅの頭部８１を工具でたたくことで調整することは不能である。その他の作用効果は、固定板７０のスタートチャッカー６０との一体的形成に基づく作用効果を除き、上記第２実施形態と同様である。
（第４実施形態）
図７は、本発明の第４実施形態を示している。この第４実施形態では、上記第３実施形態にて述べたスタートチャッカー装置Ｕａにおいて、底板１００が、スタートチャッカー６０とは別体にて形成されている。これに伴い、遊技板３０の凹部３３は、上記第３実施形態とは異なり、底板１００を嵌着するに適した断面形状となるように小さくなっている。
【０１０６】
また、スタートチャッカー６０は、上記第３実施形態とは異なり、上記第１実施形態にて述べた構成を有し、フランジ６３にて、遊技板３０の前面３１に装着されている。なお、本第４実施形態にいうスタートチャッカー６０において、スタートチャッカー６０の頭壁６１ｂは、固定板７０と共に、遊技板３０の前面から同一の距離に位置している。その他の構成は上記第３実施形態と同様である。
【０１０７】
このように構成した本第４実施形態においては、底板１００が、上述のごとく、スタートチャッカー６０とは別体で形成されている。従って、底板１００が、固定板７０及び各釘８０ａ〜８０ｅとともに、スタートチャッカー６０とは別体の釘ユニットを構成する。
【０１０８】
このため、当該釘ユニットの凹部３３を介する遊技板３０への装着作業が、スタートチャッカー６０の遊技板３０への装着作業とは独立的になされ得る。このことは、両作業の一方が他方の作業による影響を受けることなく自由になされ得ることを意味する。その他の作用効果は、底板１００のスタートチャッカー６０との一体的形成に基づく作用効果を除き、上記第３実施形態と同様である。
【０１０９】
なお、上記第４実施形態では、固定板７０が、スタートチャッカー６０とは別体で形成されているが、これに代えて、固定板７０を、上記第２実施形態と同様にスタートチャッカー６０と一体的に形成するようにしてもよい。これによっても、上記第３実施形態と実質的に同様の作用効果が達成され得る。
【０１１０】
また、上記第４実施形態において、スタートチャッカー６０を、底板１００と共に、上記第３実施形態と実質的に同様に、遊技板３０の凹部３３内に設けるようにしてもよい。
（第５実施形態）
図８は、本発明の第５実施形態を示している。この第５実施形態では、上記第２実施形態にて述べたスタートチャッカー装置Ｕａ（図４及び図５参照）において、底板１００に代えて、底板１１０を採用した構成となっている。
【０１１１】
底板１１０は、底板１００と同一の面形状を有しており、この底板１１０は、底板１００の各板部１０１、１０２に対応する各板部１１１、１１２でもって構成されている。
【０１１２】
また、当該底板１１０の板厚は、底板１００よりも厚く、次のように設定されている。即ち、各釘８０ａ〜８０ｅの遊技板３０内への前面３１からの打ち込み長さよりも厚くなるように、底板１１０の板厚（両板部１１１、１１２の各板厚）が設定されている（図８参照）。
【０１１３】
また、上記第２実施形態にて述べた遊技板３０の凹部３３は、上記第２実施形態とは異なり、底板１１０の板厚に合わせて深く形成されており、当該凹部３３内には、底板１１０が接着剤でもって移動不能に嵌着されている。
【０１１４】
本実施形態では、スタートチャッカー６０は、上記第２実施形態と同様の構成を有し、そのＵ字体６１及び案内壁６２にて、直接、底板１１０の板部１１１にその前面から設けられている。なお、板部１１１には、遊技板３０の貫通穴部３２に対向する貫通穴部１１１ａが形成されている。これにより、スタートチャッカー６０の進入穴部６１ｃ内に進入したパチンコ球は、案内壁６２により底板１１０の貫通穴部１１１ａを通り遊技板３０の貫通穴部３２内に案内される。また、底板１１０は、Ｕ字体６１、案内壁６２及び固定板７０とともに、透明な樹脂材料を用いた射出成形により、一体的に形成されている。
【０１１５】
また、上記第２実施形態にて述べた各釘８０ａ〜８０ｅは、固定板７０の各貫通穴部に挿通されて底板１１０の板部１１２に打ち込まれている。その他の構成は、上記第２実施形態と同様である。
【０１１６】
以上のように構成した本第５実施形態においては、上述のごとく、スタートチャッカー６０が、固定板７０及び底板１１０の板部１１１と一体的に構成されている。また、各釘８０ａ〜８０ｅが、固定板７０の各貫通穴部に挿通されて底板１１０の板部１１２に打ち込まれている。ここで、各釘８０ａ〜８０ｅは、頭部及び頚部にて、固定板７０の各貫通穴部への圧入のもとに当該固定板７０に接着剤でもって固定されている。
【０１１７】
従って、スタートチャッカー装置は、スタートチャッカー６０、固定板７０、底板１１０及び各釘８０ａ〜８０ｅを一体化したユニットとして構成される。
【０１１８】
よって、このように一体化したユニットであるスタートチャッカー装置を遊技板３０に装着するにあたっては、底板１１０を遊技板３０の凹部３３内に接着剤を介して嵌着するだけで、当該スタートチャッカー装置を遊技板３０に簡単に装着できる。
【０１１９】
また、このように装着したスタートチャッカー装置においては、各釘８０ａ〜８０ｅの頭部及び頚部は、固定板７０に固定され、各釘８０ａ〜８０ｅの先端部は、遊技板３０の凹部３３に嵌着した底板１１０でもって固定されている。このため、各釘８０ａ〜８０ｅは、遊技板３０の前面３１に対し傾斜等変形しにくく、調整不能に維持され得る。その結果、遊技者は、上記第２実施形態と実質的に同様に、常に一定の入賞率を確保し得るという公平感をいだきながら、安心して遊技に専念できる。
（第６実施形態）
図９は、本発明の第６実施形態を示している。この第６実施形態では、上記第５実施形態にて述べたスタートチャッカー装置において、固定板７０が、スタートチャッカー６０とは別体にて形成されている。その他の構成は、上記第５実施形態と同様である。
【０１２０】
このように構成した本第６実施形態においては、当該固定板７０は、上記第５実施形態にて述べたように、各釘８０ａ〜８０ｅを介し底板１１０に固定的に支持されている。また、スタートチャッカー６０は、上記第５実施形態にて述べたように、底板１１０の板部１１１と一体的に形成されている。
【０１２１】
従って、固定板７０が上述のごとくスタートチャッカー６０とは別体にて形成されていても、当該スタートチャッカー装置は、各釘８０ａ〜８０ｅ及び底板１１０を介し固定板７０及びスタートチャッカー６０を一体的に形成したユニットとして構成される。
【０１２２】
その結果、このように一体化したユニットであるスタートチャッカー装置を遊技板３０に装着するにあたっては、上記第５実施形態と同様の作用効果が達成され得る。
【０１２３】
また、上述のように、固定板７０が、スタートチャッカー６０とは別体にて形成されている。従って、各釘８０ａ〜８０ｅの頭部８１を工具でたたくことで調整すると、固定板７０が、スタートチャッカー６０の頭壁６１ｂよりも遊技板３０側へ変位する等の異常が発生する。このような異常は簡単に視認され得るので、各釘８０ａ〜８０ｅの頭部８１を工具でたたくことで調整することは不能である。その他の作用効果は、固定板７０のスタートチャッカー６０との一体的形成に基づく作用効果を除き、上記第５実施形態と同様である。
（第７実施形態）
図１０は、本発明の第７実施形態を示している。この第７実施形態では、上記第６実施形態にて述べたスタートチャッカー装置において、底板１１０が、スタートチャッカー６０とは別体にて形成されている。
【０１２４】
これに伴い、底板１１０は、上記第６実施形態にて述べた板部１１２でもって構成され、また、遊技板３０の凹部３３は、上記第６実施形態とは異なり、底板１１０である板部１１２を嵌着するに適した断面形状となるように小さくなっている。また、スタートチャッカー６０は、上記第６実施形態とは異なり、上記第１実施形態にて述べた構成を有し、フランジ６３にて、遊技板３０の前面３１の中央部に装着されている。その他の構成は、上記第６実施形態と同様である。
【０１２５】
このように構成した本第７実施形態においては、底板１１０が、上述のごとく、スタートチャッカー６０とは別体で形成されている。このため、底板１１０が、固定板７０及び各釘８０ａ〜８０ｅとともに、スタートチャッカー６０とは別体の釘ユニットを構成する。
【０１２６】
従って、当該釘ユニットの凹部３３を介する遊技板３０への装着作業が、スタートチャッカー６０の遊技板３０への装着作業とは独立的になされ得る。このことは、両作業の一方が他方の作業による影響を受けることなく自由になされ得ることを意味する。その他の作用効果は、底板１１０のスタートチャッカー６０との一体的形成に基づく作用効果を除き、上記第６実施形態と同様である。
【０１２７】
なお、上記第７実施形態では、固定板７０が、スタートチャッカー６０とは別体で形成されているが、これに代えて、固定板７０を、上記第６実施形態と同様にスタートチャッカー６０と一体的に形成するようにしてもよい。これによっても、上記第６実施形態と実質的に同様の作用効果が達成され得る。
（第８実施形態）
図１１は、本発明の第８実施形態の要部を示す。この第８実施形態では、上記各実施形態のいずれかにおいて述べた固定板７０が、各貫通穴部７１ａ、７１ｂ、７２ａ〜７２ｃに代えて、各貫通穴部Ｈを備えている。
【０１２８】
各貫通穴部Ｈは、段付き穴状に形成されて、段付き貫通穴部として構成されており、当該各貫通穴部Ｈは、大径穴部Ｈａ及び小径穴部Ｈｂを上下に同軸的に位置させるように構成されている。ここで、大径穴部Ｈａは、各釘８０ａ〜８０ｅの頭部の外径よりも大きな内径を有する。また、小径穴部Ｈｂは、上述した各貫通穴部７１ａ、７１ｂ、７２ａ〜７２ｃと同一内径を有する。その他の構成は、上記各実施形態のいずれかと同様である。
【０１２９】
このように構成した本第８実施形態においては、上記各実施形態のいずれかにて述べたと実質的に同様に、５本の釘８０ａ〜８０ｅは、それぞれ、固定板７０の各対応の貫通穴部Ｈに挿通される。
【０１３０】
ここで、各釘８０ａ〜８０ｅは、それぞれ、その各頭部にて、各対応の貫通穴部Ｈの大径穴部Ｈａ内に収容されるように、その各首下部にて、各対応の貫通穴部Ｈの小径穴部Ｈｂに圧入により挿通される。
【０１３１】
その結果、スタートチャッカー装置が遊技板３０に装着された後は、５本の釘８０ａ〜８０ｅの調整がより一層不能に維持され得る。
【０１３２】
また、接着剤を、各釘８０ａ〜８０ｅの頚部８３と各対応の小径穴部Ｈｂとの間に浸入させるように、各貫通穴部Ｈの大径穴部Ｈａ内に供給乾燥すれば、各釘８０ａ〜８０ｅが、頭部８１の大径穴部Ｈａ内への収容状態のもと、頭部８１及び頚部８３でもって、固定板７０により一層強固に接着固定され得る。その結果、遊技板３０に装着された後のスタートチャッカー装置における５本の釘８０ａ〜８０ｅの調整不能がさらに向上し得る。
【０１３３】
また、各釘８０ａ〜８０ｅの頭部８１は、図１１にて示すごとく、各対応の貫通穴部Ｈの大径穴部Ｈａから外方へ突出しているため、各釘８０ａ〜８０ｅの頭部８１を工具でたたくことは可能であるが、このようにたたくと、固定板７０に折れ湾曲等の歪みが発生する。従って、各釘８０ａ〜８０ｅの頭部８１をたたくことで調整しようとしても、このような各釘８０ａ〜８０ｅの調整は簡単に視認され得る。このことは、各釘８０ａ〜８０ｅの頭部８１をたたくことで各釘８０ａ〜８０ｅの調整を行うことは不能であることを意味する。その他の作用効果は、上記各実施形態のいずれかの作用効果と同様である。
【０１３４】
なお、上記第８実施形態では、各釘８０ａ〜８０ｅの頭部８１は、図１１にて示すごとく、各対応の貫通穴部Ｈの大径穴部Ｈａから外方へ突出しているが、これに代えて、各釘８０ａ〜８０ｅの頭部８１は、各対応の貫通穴部Ｈの大径穴部Ｈａ内に完全に収容されていてもよい。これによれば、各釘８０ａ〜８０ｅの頭部８１を工具でたたくと各大径穴部Ｈａの開口部をもたたくこととなり、固定板７０が、各大径穴部Ｈａの開口部近傍にて変形等の歪みを発生する。従って、各釘８０ａ〜８０ｅの頭部８１をたたくことで調整しようとしても、このような調整は簡単に視認され得る。
（第９実施形態）
図１２は、本発明の第９実施形態を示している。この第９実施形態のスタートチャッカー装置Ｕｂは、上記第１実施形態にて述べたスタートチャッカー装置Ｕにおいて、固定板７０における貫通穴部の数及び形成位置並びに釘の本数を次のように変更した構成となっている。
【０１３５】
即ち、本第９実施形態では、固定板７０は、６つの貫通穴部、具体的には、上記第１実施形態にて述べた両貫通穴部７１ａ、７１ｂに加え、４つの貫通穴部７３ａ〜７３ｄを備えている。ここで、４つの貫通穴部７３ａ〜７３ｄは、両貫通穴部７１ａ、７１ｂの内径と同一の内径にて、これら貫通穴部７１ａ、７１ｂとともに正六角形の各頂部に位置するように固定板７０に形成されている。但し、６つの貫通穴部７１ａ、７１ｂ、７３ａ〜７３ｄのうち、各両隣接貫通穴部の中心間隔は、両貫通穴部７１ａ、７１ｂの中心間隔と同一である。
【０１３６】
また、本第９実施形態では、１本の真鍮製釘８０ｆが、上記第１実施形態にて述べた５本の釘８０ａ〜８０ｅに加えて採用されている。なお、釘８０ｆは、釘８０ａ〜８０ｅと同様の外形形状を有し、釘８０ｃ〜８０ｅと共に誘導釘としての役割を果たす。
【０１３７】
しかして、各釘８０ｃ〜８０ｆは、それぞれ、両釘８０ａ、８０ｂと実質的に同様に、その頚部８３まで、首下部８２を、固定板７０の各貫通穴部７３ａ〜７３ｄに圧入により挿通されており、これら釘８０ｃ〜８０ｆは、それぞれ、両釘８０ａ、８０ｂと実質的に同様に、首下部８２の先端部にて、遊技板３０にその前面３１の貫通穴部３２の直上部位にて互いに略平行となるように打ち込まれている。その他の構成は上記第１実施形態と同様である。
【０１３８】
以上のように構成した本第９実施形態において、パチンコ球が、上記第１実施形態と同様にセンターフレーム５０の導出口５２から導出されて、スタートチャッカー装置Ｕｂに向けて落下すると、当該パチンコ球は、当該スタートチャッカー装置Ｕｂの各釘８０ｃ〜８０ｆにより誘導されるか、または各釘８０ａ〜８０ｆの周囲に位置する釘を介して案内されて、図１２にて一点鎖線で示す各矢印Ｒ６〜Ｒ１０の方向に移動し、両釘８０ａ、８０ｂの間を通り、当該スタートチャッカー装置Ｕｂのスタートチャッカー６０の進入穴部６１ｃ内にその上端開口部から進入する。
【０１３９】
このように進入したパチンコ球は、上記第１実施形態と同様に、上記球タンク内から案内される所定数の球と共に、払い出し流路２４を通り上皿２１内に払い出される。
【０１４０】
ここで、当該スタートチャッカー装置Ｕｂにおいても、上記第１実施形態と同様に、遊技板３０と固定板７０との間の間隔は、パチンコ球の外径よりも十分に大きく、かつ、６本の釘８０ａ〜８０ｆのうち各両隣接釘の間の間隔が、パチンコ球の外径よりも幾分大きい。このため、パチンコ球は、上記各両隣接釘のいずれかの間から容易にスタートチャッカー６０の進入穴部６１ｃ内に進入し得る。
【０１４１】
しかも、６本の釘８０ａ〜８０ｆは、上記第１実施形態にて述べた５本の釘と同様に、固定板７０に圧入により移動不能に固定されているから、６本の釘８０ａ〜８０ｆ、例えば、命釘の傾きや位置が任意に調整されることは不可能である。このことは、当該スタートチャッカー装置が遊技板３０に装着された後は、６本の釘８０ａ〜８０ｆが、調整不能に維持されることを意味する。
【０１４２】
さらに、本第９実施形態においても、上記第１実施形態と同様に、遊技者は、窓２０ａ及び固定板７０を通して、調整不能に維持される６本の釘８０ａ〜８０ｆを常に視認することができ、その結果、常に一定の入賞率を確保し得るという公平感をいだきながら、安心して遊技に専念できる。
【０１４３】
ここで、６本の釘８０ａ〜８０ｆは、スタートチャッカー６０の進入穴部６１ｃの上端開口部の近傍に命釘として位置する２本の釘を基準にして、正六角形を構成しつつ、スタートチャッカー６０の進入穴部の上端開口部の周囲に位置することとなる。しかも、上述のように正六角形を構成するのであるから、各両隣接釘の間隔は、共に、同一である。
【０１４４】
このため、例えば、遊技盤Ｐの中央に集まるパチンコ球は、６本の釘のうち、両命釘以外の釘でもって、円滑に誘導されて、両命釘の間からスタートチャッカーの進入口部により一層進入し易くなる。その他の作用効果は、上記第１実施形態と同様である。
【０１４５】
また、本第９実施形態では、スタートチャッカー装置Ｕｂの釘の本数が、上記第１実施形態にて述べたスタートチャッカー装置Ｕの釘の本数よりも多い分だけ、固定板７０による各釘の固定はより一層強固になされ得る。
【０１４６】
なお、上記第９実施形態においては、上記第１実施形態にて述べたスタートチャッカー装置Ｕに限ることなく、上記第２〜第７の実施形態のいずれかにて述べたスタートチャッカー装置においても、固定板７０における貫通穴部の数及び形成位置並びに釘の本数を上述と同様に変更することで、上記第９実施形態と実質的に同様の作用効果が達成され得る。
（第１０実施形態）
図１３は、本発明の第１０実施形態を示している。この第１０実施形態のスタートチャッカー装置（以下、スタートチャッカー装置Ｕｂともいう）は、上記第１実施形態にて述べたスタートチャッカー装置Ｕにおいて、固定板７０に対する貫通穴部の数及び形成位置並びに釘の本数を次のように変更した構成となっている。
【０１４７】
即ち、本第１０実施形態では、固定板７０は、４つの貫通穴部、具体的には、上記第１実施形態にて述べた両貫通穴部７１ａ、７１ｂに加え、両貫通穴部７４ａ、７４ｂを備えている。ここで、両貫通穴部７４ａ、７４ｂは、両貫通穴部７１ａ、７１ｂの内径と同一の内径にて、これら貫通穴部７１ａ、７１ｂとともに、正四角形の各頂部に位置するように形成されている。但し、４つの貫通穴部７１ａ、７１ｂ、７４ａ、７４ｂのうち、各両隣接貫通穴部の中心間隔は、両貫通穴部７１ａ、７１ｂの中心間隔と同一である。
【０１４８】
また、本第１０実施形態では、上記第１実施形態にて述べた５本の釘８０ａ〜８０ｅのうちの２本の釘８０ａ、８０ｂの他、２本の真鍮製釘８０ｇ、８０ｈが採用されている。なお、この２本の釘８０ｇ、８０ｈは、２本の釘８０ａ、８０ｂと同様の外形形状を有する。
【０１４９】
しかして、両釘８０ｇ、８０ｈは、両釘８０ａ、８０ｂと実質的に同様に、その頚部８３まで、首下部８２を、固定板７０の両貫通穴部７４ａ、７４ｂに圧入により挿通されており、これら釘８０ｇ、８０ｈは、それぞれ、両釘８０ａ、８０ｂと実質的に同様に、首下部８２の先端部にて、遊技板３０の前面３１側から当該遊技板３０のうち貫通穴部３２の直上部位に互いに略平行となるように打ち込まれている。その他の構成は上記第１実施形態と同様である。
【０１５０】
以上のように構成した本第１０実施形態において、パチンコ球が、上記第１実施形態と同様にセンターフレーム５０の導出口５２から導出されて、スタートチャッカー装置Ｕｃに向けて落下すると、当該パチンコ球は、スタートチャッカー装置Ｕｃの各釘８０ｇ、８０ｈにより誘導されるか、または各釘８０ａ、８０ｂ、８０ｇ、８０ｈの周囲に位置する釘を介して案内されて、図１３にて一点鎖線で示す各矢印Ｒ１１〜Ｒ１３の方向に移動し、両釘８０ａ、８０ｂの間を通り、スタートチャッカー装置Ｕｃのスタートチャッカー６０の進入穴部６１ｃ内に進入する。
【０１５１】
このように進入したパチンコ球は、上記第１実施形態と同様に、上記球タンク内から案内される所定数の球と共に、払い出し流路２４を通り上皿２１内に払い出される。
【０１５２】
ここで、スタートチャッカー装置Ｕｃにおいても、上記第１実施形態と同様に、遊技板３０と固定板７０との間の間隔は、パチンコ球の外径よりも十分に大きく、かつ、４本の釘８０ａ、８０ｂ、８０ｈ、８０ｈのうち各両隣接釘の中心間隔が、パチンコ球の外径よりも幾分大きい。このため、パチンコ球は、上記各両隣接釘のいずれかの間から容易にスタートチャッカー６０の進入穴部６１ｃ内に進入し得る。
【０１５３】
しかも、４本の釘８０ａ、８０ｂ、８０ｇ、８０ｈは、上記第１実施形態にて述べた５本の釘と同様に固定板７０でもって移動不能に固定されているから、４本の釘８０ａ、８０ｂ、８０ｇ、８０ｈ、例えば、命釘の傾きや位置が任意に調整されることは不可能である。このことは、スタートチャッカー装置Ｕｂが遊技板３０に装着された後は、４本の釘８０ａ、８０ｂ、８０ｇ、８０ｈが、調整不能に維持されることを意味する。
【０１５４】
さらに、本第１０実施形態においても、上記第１実施形態と同様に、遊技者は、窓２０ａ及び固定板７０を通して、調整不能に維持される４本の釘８０ａ、８０ｂ、８０ｇ、８０ｈを常に視認することができ、その結果、常に一定の入賞率を確保し得るという公平感をいだきながら、安心して遊技に専念できる。
【０１５５】
ここで、４本の釘８０ａ、８０ｂ、８０ｇ、８０ｈは、スタートチャッカー６０の進入穴部６１ｃの上端開口部の近傍に命釘として位置する２本の釘を基準にして、正四角形を構成しつつ、スタートチャッカー６０の進入穴部６１ｃの上端開口部の周囲に位置することとなる。しかも、上述のように正四角形を構成するのであるから、各両隣接釘の間隔は、共に、同一である。
【０１５６】
このため、例えば、遊技盤Ｐの中央に集まるパチンコ球は、４本の釘のうち、両命釘以外の釘でもって、円滑に誘導されて、両命釘の間からスタートチャッカーの進入穴部により一層進入し易くなる。
【０１５７】
また、スタートチャッカー装置Ｕｃは、スタートチャッカー６０、固定板７０及び４本の釘８０ａ、８０ｂ、８０ｇ、８０ｈを一体的にユニット化したものである。従って、当該スタートチャッカー装置Ｕｃを遊技板３０に装着するにあたっては、上記第１実施形態と実質的に同様に、４本の釘８０ａ、８０ｂ、８０ｇ、８０ｈを遊技板３０に打ち込むとともに、スタートチャッカー６０を遊技板３０の所定の箇所に装着すことで済む。その他の作用効果は、上記第１実施形態と同様である。
【０１５８】
なお、上記第１０実施形態においては、上記第１実施形態にて述べたスタートチャッカー装置Ｕに限ることなく、上記第２〜第７の実施形態のいずれかにて述べたスタートチャッカー装置においても、固定板７０における貫通穴部の数及び形成位置並びに釘の本数を上述と同様に変更することで、上記第１０実施形態と実質的に同様の作用効果が達成され得る。
（第１１実施形態）
図１４は、本発明の第１１実施形態を示している。この第１１実施形態のスタートチャッカー装置（以下、スタートチャッカー装置Ｕｄともいう）は、上記第１実施形態にて述べたスタートチャッカー装置において、固定板７０に対する貫通穴部の数及び形成位置並びに釘の本数を次のように変更した構成となっている。
【０１５９】
即ち、本第１１実施形態では、固定板７０は、３つの貫通穴部、具体的には、上記第１実施形態にて述べた両貫通穴部７１ａ、７１ｂに加え、貫通穴部７５を備えている。ここで、貫通穴部７５は、両貫通穴部７１ａ、７１ｂの内径と同一の内径にて、これら貫通穴部７１ａ、７１ｂとともに、正三角形の各頂部に位置するように形成されている。但し、３つの貫通穴部７１ａ、７１ｂ、７５のうち、各両隣接貫通穴部の中心間隔は、両貫通穴部７１ａ、７１ｂの中心間隔と同一である。
【０１６０】
また、本第１１実施形態では、上記第１実施形態にて述べた５本の釘８０ａ〜８０ｅのうちの２本の釘８０ａ、８０ｂの他、１本の真鍮製釘８０ｉが採用されている。なお、この１本の釘８０ｉは、２本の釘８０ａ、８０ｂと同様の外形形状を有する。
【０１６１】
しかして、釘８０ｉは、両釘８０ａ、８０ｂと実質的に同様に、その頚部８３まで、首下部８２を、固定板７０の貫通穴部７５に圧入により挿通されており、この釘８０ｉは、両釘８０ａ、８０ｂと実質的に同様に、首下部８２の先端部にて、遊技板３０の前面３１側から当該遊技板３０のうち貫通穴部３２の直上部位に互いに略平行となるように打ち込まれている。その他の構成は上記第１実施形態と同様である。
【０１６２】
以上のように構成した本第１１実施形態において、パチンコ球が、上記第１実施形態と同様にセンターフレーム５０の導出口５２から導出されて、スタートチャッカー装置Ｕｄに向けて落下すると、当該パチンコ球は、スタートチャッカー装置Ｕｄの釘８０ｉにより誘導されるか、または各釘８０ａ、８０ｂ、８０ｉの周囲に位置する釘を介して案内されて、図１４にて一点鎖線で示す各矢印Ｒ１４、Ｒ１５の方向に移動し、両釘８０ａ、８０ｂの間を通り、スタートチャッカー装置Ｕｄのスタートチャッカー６０の進入穴部６１ｃ内に進入する。
【０１６３】
このように進入したパチンコ球は、上記第１実施形態と同様に、上記球タンク内から案内される所定数の球と共に、払い出し流路２４を通り上皿２１内に払い出される。
【０１６４】
ここで、スタートチャッカー装置Ｕｄにおいても、上記第１実施形態と同様に、遊技板３０と固定板７０との間の間隔は、パチンコ球の外径よりも十分に大きく、かつ、３本の釘８０ａ、８０ｂ、８０ｉのうち各両隣接釘の中心間隔が、パチンコ球の外径よりも幾分大きい。このため、パチンコ球は、上記各両隣接釘のいずれかの間から容易にスタートチャッカー６０の進入穴部６１ｃ内に進入し得る。
【０１６５】
しかも、３本の釘８０ａ、８０ｂ、８０ｉは、上記第１実施形態にて述べた５本の釘と同様に固定板７０でもって移動不能に固定されているから、３本の釘８０ａ、８０ｂ、８０ｉ、例えば、命釘の傾きや位置が任意に調整されることは不可能である。このことは、スタートチャッカー装置Ｕｄが遊技板３０に装着された後は、３本の釘８０ａ、８０ｂ、８０ｉが、調整不能に維持されることを意味する。
【０１６６】
さらに、本第１１実施形態においても、上記第１実施形態と同様に、遊技者は、窓２０ａ及び固定板７０を通して、調整不能に維持される３本の釘８０ａ、８０ｂ、８０ｉを常に視認することができ、その結果、常に一定の入賞率を確保し得るという公平感をいだきながら、安心して遊技に専念できる。
【０１６７】
ここで、３本の釘８０ａ、８０ｂ、８０ｉは、スタートチャッカー６０の進入穴部６１ｃの上端開口部の近傍に命釘として位置する２本の釘を基準にして、正三角形を構成しつつ、スタートチャッカー６０の進入口部の周囲に位置することとなる。しかも、上述のように正三角形を構成するのであるから、各両隣接釘の間隔は、共に、同一である。
【０１６８】
このため、例えば、遊技盤Ｐの中央に集まるパチンコ球は、３本の釘のうち、両命釘以外の釘でもって、円滑に誘導されて、両命釘の間からスタートチャッカーの進入口部により一層進入し易い。その他の作用効果は、上記第１実施形態と同様である。
【０１６９】
なお、上記第１１実施形態においては、上記第１実施形態にて述べたスタートチャッカー装置Ｕに限ることなく、上記第２〜第７の実施形態のいずれかにて述べたスタートチャッカー装置においても、固定板７０における貫通穴部の数及び形成位置並びに釘の本数を上述と同様に変更することで、上記第１１実施形態と実質的に同様の作用効果が達成され得る。
（第１２実施形態）
図１５は、本発明の第１２実施形態の要部を示している。この第１２実施形態のスタートチャッカー装置（以下、スタートチャッカー装置Ｕｅともいう）は、上記第１実施形態にて述べたスタートチャッカー装置において、固定板７０に対する貫通穴部の数及び形成位置並びに釘の本数を次のように変更した構成となっている。
【０１７０】
即ち、本第１２実施形態では、固定板７０は、２つの貫通穴部、具体的には、上記第１実施形態にて述べた両貫通穴部７１ａ、７１ｂを備えている。
【０１７１】
また、本第１２実施形態では、上記第１実施形態にて述べた５本の釘８０ａ〜８０ｅのうちの２本の釘８０ａ、８０ｂが採用されている。これら釘８０ａ、８０ｂは、上記第１実施形態にて述べたと実質的に同様に、固定板７０の両貫通穴部７１ａ、７１ｂに圧入により挿通されており、当該釘８０ａ、８０ｂは、上記第１実施形態にて述べたと実質的に同様に首下部８２の先端部にて、遊技板３０の前面３１側から当該遊技板３０のうち貫通穴部３２の直上部位に互いに略平行となるように打ち込まれている。その他の構成は上記第１実施形態と同様である。
【０１７２】
以上のように構成した本第１２実施形態において、パチンコ球が、上記第１実施形態のいずれかと同様にセンターフレーム５０の導出口５２から導出されて、スタートチャッカー装置Ｕｅに向けて落下すると、当該パチンコ球は、スタートチャッカー装置Ｕｅの両釘８０ａ、８０ｂの間に、図１５にて一点鎖線で示す矢印Ｒ１６の方向に進入するか、または各釘８０ａ、８０の周囲に位置する釘を介して案内されて矢印Ｒ１６の方向に移動して、両釘８０ａ、８０ｂの間に進入し、その後、スタートチャッカー装置Ｕｅのスタートチャッカー６０の進入穴部６１ｃに進入する。
【０１７３】
このように進入したパチンコ球は、上記第１実施形態と同様に、上記球タンク内から案内される所定数の球と共に、払い出し流路２４を通り上皿２１内に払い出される。
【０１７４】
ここで、スタートチャッカー装置Ｕｅにおいても、上記第１実施形態と同様に、遊技板３０と固定板７０との間の間隔は、パチンコ球の外径よりも十分に大きく、かつ、２本の釘８０ａ、８０ｂの両中心間隔が、パチンコ球の外径よりも幾分大きい。このため、パチンコ球は、上記両釘の間から容易にスタートチャッカー６０の進入穴部６１ｃ内に進入し得る。
【０１７５】
しかも、２本の釘８０ａ、８０ｂは、上記第１実施形態と同様に固定板７０でもって移動不能に固定されているから、２本の釘８０ａ、８０ｂの傾きや位置が任意に調整されることは不可能である。このことは、スタートチャッカー装置Ｕｄが遊技板３０に装着された後は、２本の釘８０ａ、８０ｂが、調整不能に維持されることを意味する。
【０１７６】
さらに、本第１２実施形態においても、上記第１実施形態と同様に、遊技者は、窓２０ａ及び固定板７０を通して、調整不能に維持される２本の釘８０ａ、８０ｂを常に視認することができ、その結果、常に一定の入賞率を確保し得るという公平感をいだきながら、安心して遊技に専念できる。その他の作用効果は、上記第１実施形態のいずれかと同様である。
【０１７７】
なお、上記第１２実施形態においては、上記第１実施形態にて述べたスタートチャッカー装置Ｕに限ることなく、上記第２〜第７の実施形態のいずれかにて述べたスタートチャッカー装置においても、固定板７０における貫通穴部の数及び形成位置並びに釘の本数を上述と同様に変更することで、上記第１２実施形態と実質的に同様の作用効果が達成され得る。
（第１３実施形態）
次に、本発明の第１３実施形態について説明する。この第１３実施形態では、上記第９〜第１２の実施形態のいずれかにおいて、固定板７０の各貫通穴部が、上記第８実施形態（図１１参照）にて述べた各貫通穴部Ｈに変更されている。
【０１７８】
これによれば、本第１３実施形態では、上記第９〜第１２の実施形態のいずれかにおいて、上記第８実施形態にて述べたと同様の作用効果が達成され得る。
【０１７９】
なお、本発明の実施にあたり、上記各実施形態に限ることなく、次のような種々の変形例が挙げられる。
（１）上記各実施形態にて述べたパチンコ遊技機は、第１種のものであるが、これに限らず、第２種または第３種のパチンコ遊技機に本発明を適用してもよい。
【０１８０】
例えば、第２種のパチンコ遊技機では、チャッカー及びこのチャッカーの近傍にて八の字状に位置する複数の釘（いわゆるハカマ）からなる構成（いわゆる「落とし」）に加え、上記各実施形態にて述べた固定板７０又はこの固定板７０及び底板１００（または１１０）を採用して、チャッカー装置を構成するようにしてもよい。
【０１８１】
また、第３種のパチンコ遊技機では、上記各実施形態にて述べたスタートチャッカーに対応するいわゆるスルーチャッカー及びその近傍の釘に加え、固定板７０又はこの固定板７０及び底板１００（または１１０）を採用して、スルーチャッカー装置を構成してもよい。
（２）スタートチャッカー６０や固定板７０（または、固定板７０や底板１００（または１１０））の形成材料は、透明樹脂に限ることなく、一般には透明材料であればよい。また、スタートチャッカー６０や固定板７０（または、固定板７０や底板１００（または１１０））は、透明な樹脂でもって形成されることに限らず、不透明な樹脂または金属でもって形成されてもよい。また、固定板７０は、四角形状に限らず、例えば、楕円形、多角形またはハート形の形状であってもよい。
（３）各釘は、傾斜して打ち込まれていてもよい。各釘は、正五角形、正六角形、正方形または正三角形の各頂部にかぎることなく、一般的には、五角形、六角形、四角形または三角形の各頂部に位置するようにしてもよい。
（４）底板１００（または１１０）はスタートチャッカー６０のフランジ６３の左右上端部から一体に進入穴部６１ｃの軸方向に沿い延出するように形成されていてもよい。この場合、この底板１００（または１１０）の各延出端部からスタートチャッカー６０のフランジ６３の左右上端部にかけて、それぞれ、壁状補強部を形成してもよい。
（５）底板及び固定板は、スタートチャッカーの構成部材として把握してもよい。
【図面の簡単な説明】
【０１８２】
【図１】本発明が適用されるパチンコ遊技機の第１実施形態を示す正面図である。
【図２】図３の２−２線に沿うスタートチャッカー装置の断面図である。
【図３】上記第１実施形態におけるスタートチャッカー装置の平面図である。
【図４】本発明の第２実施形態の要部を示す断面図である。
【図５】上記第２実施形態の要部を示す平面図である。
【図６】本発明の第３実施形態の要部を示す断面図である。
【図７】本発明の第４実施形態の要部を示す断面図である。
【図８】本発明の第５実施形態の要部を示す断面図である。
【図９】本発明の第６実施形態の要部を示す断面図である。
【図１０】本発明の第７実施形態の要部を示す断面図である。
【図１１】本発明の第８実施形態の要部を示す部分破断図である。
【図１２】本発明の第９実施形態の要部を示す平面図である。
【図１３】本発明の第１０実施形態の要部を示す平面図である。
【図１４】本発明の第１１実施形態の要部を示す平面図である。
【図１５】本発明の第１２実施形態の要部を示す平面図である。
【符号の説明】
【０１８３】
Ｐ…遊技盤、Ｕ〜Ｕｅ…スタートチャッカー装置、３０…遊技板、３１…前面、
３３…凹部、６０…スタートチャッカー、６１…Ｕ字体、６１ａ…脚壁、
６１ｂ…頭壁、６１ｃ…進入穴部、７０…固定板、８０ａ〜８０ｉ…釘、８１…頭部、
８２…首下部、８３…頚部、１００、１１０…底板、
１０１、１０２、１１１、１１２…板部。
【図１】
2007190354.tif 000003
【図２】
2007190354.tif 000004
【図３】
2007190354.tif 000005
【図４】
2007190354.tif 000006
【図５】
2007190354.tif 000007
【図６】
2007190354.tif 000008
【図７】
2007190354.tif 000009
【図８】
2007190354.tif 000010
【図９】
2007190354.tif 000011
【図１０】
2007190354.tif 000012
【図１１】
2007190354.tif 000013
【図１２】
2007190354.tif 000014
【図１３】
2007190354.tif 000015
【図１４】
2007190354.tif 000016
【図１５】
2007190354.tif 000017